(57)【要約】 【課題】  堤防に対して津波が押し寄せた際、その力をまともに受け止めずにこれの分散化が図られるようにした新規の堤防を提供する。【解決手段】    山側を閉鎖面とし、海側及び上面を開口面とする堤防Ａに対して、津波受入れ用空間Ｓをその全長に亘りを縦割り状に連続的に列設するようにして形成し、当該空間Ｓ内に、流入する津波を衝突させてその流れを蛇行させるための遮蔽板を間歇的に張設し、堤防を乗り越える津波に対して、最終的に堤防上面から噴出する津波を衝突させるように導くように構成した堤防。    【選択図】  図１
2014218871.tif 000002
【特許請求の範囲】
【請求項１】
山側を閉鎖面とし、海側及び上面を開口面とする堤防Ａに対して、津波受入れ用空間Ｓをその全長に亘りを縦割り状に連続的に列設するようにして形成し、当該空間Ｓ内に、流入する津波を衝突させてその流れを蛇行させるための遮蔽板を間歇的に張設し、堤防を乗り越える津波に対して、最終的に堤防上面から噴出する津波を衝突させるように導くように構成した堤防。    
【請求項２】
底部に貯水部(Ｂ)を形成した請求項１に記載の堤防。
【請求項３】
請求項１に記載の堤防(Ａ)を形成するための部材であって、所要高さを具えた正四角筒柱体の上下の四辺中央部に嵌め合わせ用溝(２ａ)を形成して成る柱単体(２)と、上記柱単体(２)の半分の高さ幅を具え、かつその両端に、上記嵌め合わせ用溝(２ａ)の半部に係合する嵌め込み用鉤部(３ａ)を形成して成る閉鎖面形成用枠板(３)と、上記柱単体(２)相互の連結的支持を行うためのものでありかつその両端に上記嵌め合わせ用溝(２ａ)の半部に係合する嵌め込み用鉤部(３ａ)を形成して成る連結用幅狭枠板(４)との組み合わせに基づき形成した請求項１または請求項２の何れかに記載の堤防。
【発明の詳細な説明】
【技術分野】
【０００１】
本発明は、津波が押し寄せた際に、その勢いを衰退させるような機能を具えた堤防に関する。
【背景技術】
【０００２】
従来の堤防はその内部が密であり、全体を強靭に押し固めることに依って、津波が来襲した際にこれを押し留めるような強い抵抗力が奏されるような形態とすることが原則とされた。（例えば、特許文献１参照。）。
【先行技術文献】
【特許文献】
【０００３】
【特許文献１】特開２０１３−２１８５号公報
【発明の概要】
【発明が解決しようとする課題】
【０００４】
従来の堤防は、津波に対する対応が、その力と対向する力、すなわち、津波の力をそのまま受け止めてこれを防ぐと言いうような考え方に基づくものである。  従って、想定する津波を大きなものとすれば、堤防もこれに比例した大きくかつ堅牢なものとする必要があり、そのため、構築費用の高騰化が必然生じてしまうことを余儀なくされた。
【０００５】
本発明は、堤防に対して津波が押し寄せた際、その力をまともに受け止めずにこれの分散化を図り、以て、従来の堤防に比して廉価に構築可能とする堤防であっても、強い耐性を発揮する新規な堤防の提供を図り、従来の問題点であった構築費用の高騰性の解消化を図ったものである。
【課題を解決するための手段】
【０００６】
本発明は請求項１に記載のように、山側を閉鎖面とし、海側及び上面を開口面とする堤防Ａに対して、津波受入れ用空間Ｓをその全長に亘りを縦割り状に連続的に列設するようにして形成し、当該空間Ｓ内に、流入する津波を衝突させてその流れを蛇行させるための遮蔽板を間歇的に張設し、堤防を乗り越える津波に対して、最終的に堤防上面から噴出する津波を衝突させるように導くように構成した堤防に係る。
【０００７】
本発明は請求項２に記載のように、底部に貯水部Ｂを形成した請求項１に記載の堤防を実施の態様とする。
【０００８】
本発明は請求項３に記載のように、請求項１に記載の堤防Ａを形成するための部材であって、所要高さを具えた正四角筒柱体の上下の四辺中央部に嵌め合わせ用溝２ａを形成して成る柱単体２と、上記柱単体２の半分の高さ幅を具え、かつその両端に、上記嵌め合わせ用溝２ａの半部に係合する嵌め込み用鉤部３ａを形成して成る閉鎖面形成用枠板３と、上記柱単体２相互の連結的支持を行うためのものでありかつその両端に上記嵌め合わせ用溝２ａの半部に係合する嵌め込み用鉤部３ａを形成して成る連結用幅狭枠板４との組み合わせに基づき形成した請求項１または請求項２の何れかに記載の堤防を実施の態様とする。
【発明の効果】
【０００９】
本発明は請求項１に記載のような構成、すなわち、山側を閉鎖面とし、海側及び上面を開口面とする堤防Ａに対して、津波受入れ用空間Ｓをその全長に亘りを縦割り状に連続的に列設するようにして形成し、当該空間Ｓ内に、流入する津波を衝突させてその流れを蛇行させるための遮蔽板を間歇的に張設し、堤防を乗り越える津波に対して、最終的に堤防上面から噴出する津波を衝突させるように導くように構成したから、津波は堤防内に導かれると共にその流れが蛇行化されるため、勢いの消化作用が奏されると共に、極めて大きな津波の場合は、上昇させると共に、堤防を乗り越える津波とぶつけることに依り、その相互鎮静化作用が奏される。
【００１０】
本発明は請求項２に記載のような構成、すなわち、底部に貯水部Ｂを形成したから、その貯水重量が堤防の安定用重りとして作用するばかりでなく、当該貯水部を魚類等の養殖池として利用を図ることができる。
【００１１】
本発明は請求項３に記載のような構成、すなわち、請求項１に記載の堤防Ａを形成するための部材であって、所要高さを具えた正四角筒柱体の上下の四辺中央部に嵌め合わせ用溝２ａを形成して成る柱単体２と、上記柱単体２の半分の高さ幅を具え、かつその両端に、上記嵌め合わせ用溝２ａの半部に係合する嵌め込み用鉤部３ａを形成して成る閉鎖面形成用枠板３と、上記柱単体２相互の連結的支持を行うためのものでありかつその両端に上記嵌め合わせ用溝２ａの半部に係合する嵌め込み用鉤部３ａを形成して成る連結用幅狭枠板４との組み合わせに基づき形成するように構成したから、堤防の骨格形成が極めて簡易に達成されるばかりでなく、工期及びコストの改善化が図られる。
【図面の簡単な説明】
【００１２】
【図１】本発明の要部を表した説明用縦断面図である。
【図２】本発明の要部を表した説明用横断平面図である。
【図３】本発明に用いる柱単体の使用形態を示す説明用斜視図である。
【図４】本発明に用いる閉鎖用枠板の使用状態を表した断面図である。
【図５】本発明に用いる連結用幅狭枠板の使用状態を表した断面図である。
【発明を実施するための形態】
【００１３】
図１は本発明に係る堤防Ａの基本的形態を表したものである。  Ｂは当該堤防の下部に形成した貯水部であって、常時所定量の水を貯蔵しておくことに依り、堤防の安定用重りとして機能させると同時に、これを魚類等の養殖用池として利用可能とするように構成してある。
【００１４】
本発発明に係る堤防Ａは、直角な矩形状格子枠の組み合わせに基づく骨組み、すなわち、例えれば、遊戯具「ジャングルジム」のような形態の骨組みを基本形態とするものである。
そして、その各矩形枠単体に対して適宜閉鎖構造を採ることに依り、堤防の内部に、流入津波の衰退化を図るような津波減衰用通路を形成するように構成したことを特徴とするものである。
【００１５】
図１に示すような基本形態において、堤防Ａの山側は閉鎖面Ｍとすると共に、その表面には植物等を植えることに依りグリーン化を図ることが好ましい。  そして、当該堤防Ａの上面に連なる海側は、矢印に示すように押し寄せる津波を堤防内部に導くような開口面Ｎとするように構成してある。
【００１６】
そして、開口面Ｎから堤防Ａ内に取り込まれた津波は、その直進を妨げるように張設されている遮蔽板１対して次々と衝突及びこれに依る方向転換が成されることに依り、津波の流れは蛇行状の流れとなると共に、強力な津波の場合は、最終的には堤防の上面から吹き出すような流れに転化されるように構成してある。  このように堤防の上面から吹き出すような津波は極めて強力な津波の場合である。  そして、この場合、津波自体が堤防を乗り越えてしまうような流れも伴うが、この流れは、前記した堤防の上面から吹き出すような流れと衝突し、両者が互いに打ち消されるような形態となり、津波が堤防自体を乗り越えてしまうことを阻止することとなる。
【００１７】
上記した津波を蛇行状の流れとするための空間Ｓは、堤防全体としては二次元的平面性を持ったものであり、当該空間Ｓは図２に示すように、堤防の長さ方向に亘って多数単位が相隣り合う状態で形成し、そして、夫々の当該各空間Ｓ内には、前述したように、流入する津波の流れを蛇行させるための遮蔽板１が間歇的に張設してある。  
【００１８】
なお、張設する遮蔽板１の取付け箇所は、図２に示す実施例にあっては各空間Ｓすべてが同一の場所に取付けるように示してあるが、これはアトランダムに取付けるように構成しても良い。
【００１９】
図３乃至図５は堤防Ａ形成のための、直角な矩形状格子枠の組み合わせに基づく骨組みを形成する手段の一例を表したものである。  ２は柱単体であって、所要高さを具えた正四角筒柱体の上下の四辺中央部に嵌め合わせ用溝２ａを形成して成るものである。
【００２０】
３は閉鎖面形成用枠板であって、上記柱単体２の半分の高さ幅を具え、かつその両端に、上記嵌め合わせ用溝２ａの半部に係合する嵌め込み用鉤部３ａを形成して成るものである。
【００２１】
４は連結用幅狭枠板であって、上記柱単体２相互の連結的支持を行うためのものであり、かつその両端に、上記嵌め合わせ用溝２ａの半部に係合する嵌め込み用鉤部３ａを形成して成るものである。
【００２２】
上記した閉鎖面形成用枠板３は、図３及び図４に示すように、前の嵌め合わせ用溝２ａとその嵌め込み用鉤部３ａとをはめ合わせることに依って閉鎖された壁面の形成と、相対向する柱単体２相互の連結目的が果たされるようにするためのものである。
【００２３】
上記した連結用幅狭枠板４は、図３及び図５に示すように、前記嵌め合わせ用溝２ａとその嵌め込み用鉤部４ａとをはめ合わせることに依って開かれた壁面の形成と、相対向する柱単体２相互の連結目的が果たされるようにするためのものである。
【００２４】
上記した柱単体２、閉鎖面形成用枠板３、連結用幅狭枠板４の三者の組み合わせに基づき、本発明に係る堤防の形成目的が達成される。  なお、これは一つの手段の例示であって、本発明はこのようなものに限定されるものではない。
【符号の説明】
【００２５】
Ａ  堤防
Ｂ  貯水部
Ｍ  閉鎖面  
Ｎ  開口面
１  遮蔽板
Ｓ  空間
２  柱単体
2a  嵌め合わせ用溝
３  閉鎖面形成用枠板
3a 
嵌め込み用鉤部
４  連結用幅狭枠板
4a  嵌め込み用鉤部
【図１】
2014218871.tif 000003
【図２】
2014218871.tif 000004
【図３】
2014218871.tif 000005
【図４】
2014218871.tif 000006
【図５】
2014218871.tif 000007